(57)【特許請求の範囲】
【請求項１】
磁気共鳴イメージングシステム用の多素子送信コイルであって、前記多素子送信コイルは、
−  複数の表面コイル素子であって、各表面コイル素子はコイル回路を含み、各コイル回路は無線周波数センサを含み、前記無線周波数センサは電流センサ及び／又は電圧センサを含む、複数の表面コイル素子であって、
−    前記無線周波数センサの各々に、アナログ−デジタル変換器を備えた局部電力監視装置が直接接続され、
−    局部電力監視装置の各々は、そのアナログ−デジタル変換器に接続されたプロセッサを含み、
−    前記プロセッサの各々は、その無線周波数センサに接続された前記局部電力監視装置のアナログ−デジタル変換器を用いて接続されたそのコイル回路から無線周波数測定結果を受信し、前記局部電力監視装置の各々において、そのプロセッサは、その表面コイル素子に関する前記無線周波数測定結果から比吸収率データを生成する、複数の表面コイル素子と、
−  前記プロセッサに接続された光データ伝送システムであって、前記光データ伝送システムは、磁気共鳴イメージングシステムコントローラと接続し、前記光データ伝送システムは、前記プロセッサから前記磁気共鳴イメージングシステムコントローラへと前記比吸収率データを伝達する、光データ伝送システムと、
を含む、多素子送信コイル。
【請求項２】
前記局部電力監視装置と各無線周波数センサに接続された各アナログ−デジタル変換器とは、単一のハウジング内にある、請求項１に記載の多素子送信コイル。
【請求項３】
前記複数の表面コイル素子の各々は可撓性がある、請求項１に記載の多素子送信コイル。
【請求項４】
前記複数の表面コイル素子の各々が剛性支持構造体に固定され、前記剛性支持構造体は被検者の一部を受容する、請求項１に記載の多素子送信コイル。
【請求項５】
前記複数の表面コイル素子の少なくとも一部が重なり合う又は前記複数の表面コイル素子は重なり合わない、請求項１乃至３のいずれか一項に記載の多素子送信コイル。
【請求項６】
前記プロセッサは、前記無線周波数測定結果及びルックアップテーブルを使用して前記複数の表面コイル素子の各々に関する比吸収率推定値を決定し、前記比吸収率データは、前記複数の表面コイル素子の各々に関する前記比吸収率推定値を含む、請求項１乃至５のいずれか一項に記載の多素子送信コイル。
【請求項７】
前記比吸収率データは、前記無線周波数測定結果を含む、請求項１乃至６のいずれか一項に記載の多素子送信コイル。
【請求項８】
前記無線周波数センサは、補償バタフライコイルである、請求項１乃至７のいずれか一項に記載の多素子送信コイル。
【請求項９】
前記無線周波数センサは、トロイダルピックアップコイルである、請求項１乃至７のいずれか一項に記載の多素子送信コイル。
【請求項１０】
前記無線周波数センサは、前記コイル回路中のコンデンサに統合される、請求項１乃至７のいずれか一項に記載の多素子送信コイル。
【請求項１１】
前記プロセッサは、フィールドプログラマブルゲートアレイである、請求項１乃至１０のいずれか一項に記載の多素子送信コイル。
【請求項１２】
前記多素子送信コイルは更に、磁気共鳴信号を受信する、請求項１乃至１１のいずれか一項に記載の多素子送信コイル。
【請求項１３】
磁気共鳴イメージングシステムコントローラを含む磁気共鳴イメージングシステムであって、前記磁気共鳴イメージングシステムコントローラは、請求項１乃至１２のいずれか一項に記載の多素子送信コイルの光データ伝送システムから比吸収率データを受信し、前記磁気共鳴イメージングシステムは、マルチチャネル無線周波数システムを含み、前記マルチチャネル無線周波数システムは、前記複数の表面コイル素子の各々に対して無線周波数電力を供給し、前記磁気共鳴イメージングシステムコントローラは、前記複数の表面コイル素子から選択されたある表面コイル素子に供給される無線周波数電力を、前記比吸収率が前記表面コイル素子に関する所定の値を超えることを前記比吸収率データが示す場合に下げるように前記マルチチャネル無線周波数システムを制御する、磁気共鳴イメージングシステム。
【請求項１４】
前記磁気共鳴イメージングシステムは、前記多素子送信コイルを含む、請求項１３に記載の磁気共鳴イメージングシステム。
【請求項１５】
請求項１乃至１１のいずれか一項に記載の多素子送信コイルの光データ伝送システムから比吸収率データを受信する磁気共鳴イメージングシステムコントローラによって実行される機械実行可能命令を含むコンピュータプログラムであって、前記磁気共鳴イメージングシステムは、マルチチャネル無線周波数システムを含み、前記マルチチャネル無線周波数システムは、前記複数の表面コイル素子の各々に対して無線周波数電力を供給し、前記命令の実行は、前記磁気共鳴イメージングシステムコントローラに、
−  前記光データ伝送システムから前記比吸収率データを受信させる、及び
−  前記複数の表面コイル素子から選択されたある表面コイル素子に供給される無線周波数電力を、前記比吸収率が前記表面コイル素子に関する所定の値を超えることを前記比吸収率データが示す場合に下げるように前記マルチチャネル無線周波数システムを制御させる、
コンピュータプログラム。
【発明の詳細な説明】
【技術分野】
【０００１】
本発明は、磁気共鳴イメージング用の多素子送信コイルに関し、特に、多素子コイルの各素子に関する比吸収率データの生成に関する。
【背景技術】
【０００２】
磁気共鳴イメージング（ＭＲＩ）では、核スピンを励起する及びそれらから信号を検出するアンテナとして、無線周波数（ＲＦ）コイルが使用される。低コストのマルチチャネルＲＦ増幅器の可用性に伴って、送信チャネルの総数は、最早コストによって制限されない。高総数分布ＲＦ増幅器は、高磁場臨床応用の増加する要件を満たす為に、多数のコイル素子を備えた多素子送信アレイを提供することができる。
【０００３】
問題は、マルチチャネルＲＦシステムの各個々のコイルが、磁気共鳴画像が取得される際に被検者内部で危険なレベルの加熱を誘発し得る独自のＲＦ磁場を生成することである。
【０００４】
国際公開第２００６／１１７７１４Ａ２号では、磁気共鳴イメージングで使用する為のマルチチャネル送信／受信アンテナが開示されている。ＲＦ増幅器がその出力における過剰な反射電力によって損傷を与えられる危険を冒すことなく、ＲＦ増幅器は、それらの最大限のピーク電力能力まで使用することができる。比吸収率は、ある順方向及び反射電力信号を評価することによって監視される。国際公開第２００６／１１７７１４Ａ２号では、測定を行う為のサーキュレータの使用が開示されている。しかしながら、サーキュレータは、磁気共鳴イメージングに使用される磁石のボア内部に存在するような高磁場条件下で使用されることは不可能である。
【発明の概要】
【発明が解決しようとする課題】
【０００５】
本発明は、独立クレームにおいて、多素子送信コイル、磁気共鳴イメージングシステム及びコンピュータプログラムプロダクトを提供する。実施形態は、従属クレームにおいて与えられる。
【課題を解決するための手段】
【０００６】
当業者には理解されるように、本発明の態様は、装置、方法又はコンピュータプログラムプロダクトとして具体化され得る。従って、本発明の態様は、全面的にハードウェア実施形態、全面的にソフトウェア実施形態（ファームウェア、常駐ソフトウェア、マイクロコード等を含む）又は本明細書において全て一般的に「回路」、「モジュール」若しくは「システム」と称され得るソフトウェア及びハードウェア態様を組み合わせた実施形態の形態をとり得る。更に、本発明の態様は、それ上で具体化されたコンピュータ実行可能コードを有する１つ又は複数のコンピュータ可読媒体において具体化されたコンピュータプログラムプロダクトの形態をとり得る。
【０００７】
１つ又は複数のコンピュータ可読媒体の任意の組み合わせが利用されてもよい。コンピュータ可読媒体は、コンピュータ可読信号媒体又はコンピュータ可読ストレージ媒体でもよい。本明細書で使用される「コンピュータ可読ストレージ媒体」は、コンピューティングデバイスのプロセッサによって実行可能な命令を保存することができる任意の有形ストレージ媒体を包含する。コンピュータ可読ストレージ媒体は、コンピュータ可読非一時的ストレージ媒体と称される場合もある。コンピュータ可読ストレージ媒体はまた、有形コンピュータ可読媒体と称される場合もある。一部の実施形態では、コンピュータ可読ストレージ媒体はまた、コンピューティングデバイスのプロセッサによってアクセスされることが可能なデータを保存可能であってもよい。コンピュータ可読ストレージ媒体の例は、フロッピー（登録商標）ディスク、磁気ハードディスクドライブ、半導体ハードディスク、フラッシュメモリ、ＵＳＢサムドライブ、ランダムアクセスメモリ（ＲＡＭ）、読み取り専用メモリ（ＲＯＭ）、光ディスク、磁気光学ディスク、及びプロセッサのレジスタファイルを含むが、これらに限定されない。
【０００８】
光ディスクの例は、例えば、ＣＤ−ＲＯＭ、ＣＤ−ＲＷ、ＣＤ−Ｒ、ＤＶＤ−ＲＯＭ、ＤＶＤ−ＲＷ、又はＤＶＤ−Ｒディスクといったコンパクトディスク（ＣＤ）及びデジタル多用途ディスク（ＤＶＤ）を含む。コンピュータ可読ストレージ媒体という用語は、ネットワーク又は通信リンクを介してコンピュータデバイスによってアクセスされることが可能な様々な種類の記録媒体も指す。例えば、データは、モデムによって、インターネットによって、又はローカルエリアネットワークによって読み出されてもよい。コンピュータ可読媒体上で具体化されたコンピュータ実行可能コードは、限定されることはないが、無線、有線、光ファイバケーブル、ＲＦ等を含む任意の適切な媒体、又は上記の任意の適切な組み合わせを用いて送信されてもよい。
【０００９】
コンピュータ可読信号媒体は、例えばベースバンドにおいて又は搬送波の一部として内部で具体化されたコンピュータ実行可能コードを備えた伝搬データ信号を含んでもよい。このような伝搬信号は、限定されることはないが電磁気、光学的、又はそれらの任意の適切な組み合わせを含む様々な形態の何れかをとり得る。コンピュータ可読信号媒体は、コンピュータ可読ストレージ媒体ではない及び命令実行システム、装置、又はデバイスによって又はそれと関連して使用する為のプログラムを通信、伝搬、又は輸送できる任意のコンピュータ可読媒体でもよい。
【００１０】
「コンピュータメモリ」又は「メモリ」は、コンピュータ可読ストレージ媒体の一例である。コンピュータメモリは、プロセッサに直接アクセス可能な任意のメモリである。「コンピュータストレージ」又は「ストレージ」は、コンピュータ可読ストレージ媒体の更なる一例である。コンピュータストレージは、任意の不揮発性コンピュータ可読ストレージ媒体である。一部の実施形態では、コンピュータストレージは、コンピュータメモリであってもよい又はその逆でもよい。
【００１１】
本明細書で使用される「プロセッサ」は、プログラム、機械実行可能命令、又はコンピュータ実行可能コードを実行可能な電子コンポーネントを包含する。「プロセッサ」を含むコンピューティングデバイスへの言及は、場合により、２つ以上のプロセッサ又は処理コアを含むと解釈されるべきである。
【００１２】
コンピュータ実行可能コードは、本発明の態様をプロセッサに行わせる機械実行可能命令又はプログラムを含んでもよい。本発明の態様に関する動作を実施する為のコンピュータ実行可能コードは、Java（登録商標）、Smalltalk、又はC++等のオブジェクト指向プログラミング言語及び「Ｃ」プログラミング言語又は類似のプログラミング言語等の従来の手続きプログラミング言語を含む１つ又は複数のプログラミング言語の任意の組み合わせで書かれてもよい及び機械実行可能命令にコンパイルされてもよい。場合によっては、コンピュータ実行可能コードは、高水準言語の形態又は事前コンパイル形態でもよい及び臨機応変に機械実行可能命令を生成するインタプリタと共に使用されてもよい。
【００１３】
コンピュータ実行可能コードは、完全にユーザのコンピュータ上で、部分的にユーザのコンピュータ上で、スタンドアローンソフトウェアパッケージとして、部分的にユーザのコンピュータ上で及び部分的にリモートコンピュータ上で、又は完全にリモートコンピュータ若しくはサーバ上で実行することができる。後者の場合、リモートコンピュータは、ローカルエリアネットワーク（ＬＡＮ）若しくは広域ネットワーク（ＷＡＮ）を含む任意の種類のネットワークを通してユーザのコンピュータに接続されてもよい、又はこの接続は外部コンピュータに対して（例えば、インターネットサービスプロバイダを使用したインターネットを通して）行われてもよい。
【００１４】
本発明の態様は、本発明の実施形態による方法、装置（システム）及びコンピュータプログラムプロダクトのフローチャート、図及び／又はブロック図を参照して説明される。フローチャート、図、及び／又はブロック図の各ブロック又は複数のブロックの一部は、適用できる場合、コンピュータ実行可能コードの形態のコンピュータプログラム命令によって実施され得ることが理解されよう。相互排他的でなければ、異なるフローチャート、図、及び／又はブロック図におけるブロックの組み合わせが組み合わせられてもよいことが更に理解される。これらのコンピュータプログラム命令は、コンピュータ又は他のプログラム可能データ処理装置のプロセッサを介して実行する命令がフローチャート及び／又はブロック図の１つ又は複数のブロックにおいて指定された機能／行為を実施する為の手段を生じさせるように機械を作る為に、汎用コンピュータ、特定用途コンピュータ、又は他のプログラム可能データ処理装置のプロセッサへと提供されてもよい。
【００１５】
これらのコンピュータプログラム命令はまた、コンピュータ可読媒体に保存された命令がフローチャート及び／又はブロック図の１つ又は複数のブロックにおいて指定された機能／行為を実施する命令を含む製品を作るように、コンピュータ、他のプログラム可能データ処理装置、又は他のデバイスにある特定の方法で機能するように命令することができるコンピュータ可読媒体に保存されてもよい。
【００１６】
コンピュータプログラム命令はまた、コンピュータ又は他のプログラム可能装置上で実行する命令がフローチャート及び／又はブロック図の１つ又は複数のブロックにおいて指定された機能／行為を実施する為のプロセスを提供するように、一連の動作ステップがコンピュータ、他のプログラム可能装置又は他のデバイス上で行われるようにすることにより、コンピュータ実施プロセスを生じさせる為に、コンピュータ、他のプログラム可能データ処理装置、又は他のデバイス上にロードされてもよい。
【００１７】
本明細書で使用される「ユーザインタフェース」は、ユーザ又はオペレータがコンピュータ又はコンピュータシステムとインタラクトすることを可能にするインタフェースである。「ユーザインタフェース」は、「ヒューマンインタフェースデバイス」と称される場合もある。ユーザインタフェースは、情報若しくはデータをオペレータに提供することができる及び／又は情報若しくはデータをオペレータから受信することができる。ユーザインタフェースは、オペレータからの入力がコンピュータによって受信されることを可能にしてもよい及びコンピュータからユーザへ出力を提供してもよい。つまり、ユーザインタフェースはオペレータがコンピュータを制御する又は操作することを可能にしてもよい、及びインタフェースはコンピュータがオペレータの制御又は操作の結果を示すことを可能にしてもよい。ディスプレイ又はグラフィカルユーザインタフェース上のデータ又は情報の表示は、情報をオペレータに提供する一例である。
【００１８】
本明細書で使用される「ハードウェアインタフェース」は、コンピュータシステムのプロセッサが外部コンピューティングデバイス及び／又は装置とインタラクトする及び／又はそれを制御することを可能にするインタフェースを包含する。ハードウェアインタフェースは、プロセッサが外部コンピューティングデバイス及び／又は装置へ制御信号又は命令を送ることを可能にしてもよい。ハードウェアインタフェースはまた、プロセッサが外部コンピューティングデバイス及び／又は装置とデータを交換することを可能にしてもよい。ハードウェアインタフェースの例は、ユニバーサルシリアルバス、ＩＥＥＥ１３９４ポート、パラレルポート、ＩＥＥＥ１２８４ポート、シリアルポート、ＲＳ−２３２ポート、ＩＥＥＥ４８８ポート、ブルートゥース接続、無線ＬＡＮ接続、ＴＣＰ／ＩＰ接続、イーサネット（登録商標）接続、制御電圧インタフェース、ＭＩＤＩインタフェース、アナログ入力インタフェース、及びデジタル入力インタフェースを含むが、これらに限定されない。
【００１９】
本明細書で使用される「ディスプレイ」又は「ディスプレイデバイス」は、画像又はデータを表示する為に構成された出力デバイス又はユーザインタフェースを包含する。ディスプレイは、視覚、音声、及び／又は触覚データを出力してもよい。ディスプレイの例は、コンピュータモニタ、テレビスクリーン、タッチスクリーン、触覚電子ディスプレイ、点字スクリーンを含むが、これらに限定されない。
【００２０】
陰極線管（ＣＲＴ）、蓄積管、双安定ディスプレイ、電子ペーパー、ベクターディスプレイ、平面パネルディスプレイ、真空蛍光ディスプレイ（ＶＦ）、発光ダイオード（ＬＥＤ）ディスプレイ、エレクトロルミネッセントディスプレイ（ＥＬＤ）、プラズマディスプレイパネル（ＰＤＰ）、液晶ディスプレイ（ＬＣＤ）、有機発光ダイオードディスプレイ（ＯＬＥＤ）、プロジェクタ、及びヘッドマウントディスプレイ。
【００２１】
磁気共鳴（ＭＲ）データは、本明細書においては、磁気共鳴イメージングスキャン中に磁気共鳴装置のアンテナによって原子スピンにより発せられた無線周波数信号の記録された測定結果として定義される。磁気共鳴イメージング（ＭＲＩ）画像は、本明細書においては、磁気共鳴イメージングデータ内に含まれる解剖学的データの復元された２次元又は３次元視覚化として定義される。この視覚化は、コンピュータを使用して行うことができる。
【００２２】
比吸収率（ＳＡＲ）は、本明細書においては、１質量単位当たりに吸収されるＲＦ電力として定義される。局部ＳＡＲは、本明細書においては、最大ＳＡＲを有するボクセルのＳＡＲの値として定義される。大域的ＳＡＲは、本明細書においては、イメージングされている全測定物体に対して積算されたＳＡＲとして定義される。
【００２３】
一態様において、本発明は、磁気共鳴イメージングシステム用の多素子送信コイルを提供する。多素子送信コイルは、複数の表面コイル素子を含む。本明細書で使用される表面コイルは、被検者に近接して配置され、動作可能なコイルを包含する。表面コイルは、被検者の表面上又はその付近に配置されてもよい。各表面コイル素子はコイル回路を含む、及び各コイル回路は無線周波数センサを含む。無線周波数センサは、コイル回路に組み込まれた電流センサ及び／又は電圧センサでもよい。電流測定結果又は電圧測定結果は、比吸収率が何になり得るかを推測する為に、回路モデル又は経験データと共に使用されてもよい。
【００２４】
多素子送信コイルは、各無線周波数センサに直接接続された各無線周波数センサ用のアナログ−デジタル変換器を備えた電力監視装置を更に含む。即ち、無線周波数センサ毎にアナログ−デジタル変換器が存在する。デジタル−アナログ変換器の各々に接続する１つの電力監視装置が存在してもよい、又は各個々のアナログ−デジタル変換器に対して電力監視装置が存在してもよい。電力監視装置は、各アナログ−デジタル変換器に接続されたプロセッサを含む。プロセッサは、各電流センサに接続されたアナログ−デジタル変換器を用いて各コイル回路の無線周波数測定結果を受信するように動作可能である。本明細書で使用される無線周波数測定結果は、回路の無線周波数特性の決定を可能にする無線周波数回路の物理的パラメータ又は状態の測定結果を包含する。例えば、無線周波数電圧又は電流の測定結果は、モデリング又は実験結果を用いて無線周波数磁場又はＳＡＲが決定されることを可能にすることができる。
【００２５】
電力監視装置は、複数の表面コイル素子の各々に関する無線周波数測定結果から比吸収率データを生成するように動作可能である。多素子送信コイルは、プロセッサに接続された光データ伝送システムを更に含む。光データ伝送システムは、磁気共鳴イメージングシステムコントローラに接続するように動作可能である。光データ伝送システムは、プロセッサから磁気共鳴イメージングシステムコントローラへと比吸収率データを伝達するように動作可能である。
【００２６】
この実施形態は、磁気共鳴イメージングシステムの高磁場内で使用されるように動作可能となり得る。
【００２７】
この実施形態は、１つ又は複数の電力監視装置が多素子送信コイルのある特定の表面コイルの比吸収率を記述することができるデータを提供するので有利となり得る。各コイル回路において無線周波数センサを使用することによって、個々の表面コイルを独立して監視することができる。ある特定の表面コイルが過剰な無線周波数エネルギーを生成しており、比吸収率が高くなり過ぎた場合、被検者の過熱を回避する為に、その単一の表面コイル素子又は表面コイル素子グループに対する電力を下げることができる。多素子送信コイルは、磁気共鳴イメージングシステムから取り外し可能であってもよい。表面コイル素子が使用されるので、多素子送信コイルは、被検者上若しくは被検者に近接して配置されるであろうこと又は被検者に近接して多素子送信コイルを取り付ける為の構造を組み込んでもよいことが想定され得る。比吸収率データは、異なる実施形態では異なる形態をとり得る。一部の実施形態では、比吸収率データは、ある特定の表面コイル素子によって生じた比吸収率の推定値を含んでもよい。他の実施形態では、測定された生データ又は単に無線周波数電流若しくは電圧の推定値が比吸収率データに組み込まれる又は含まれる。
【００２８】
単一の電力監視装置は、一部の実施形態では、複数の電力監視装置でもよい。同様に、プロセッサもまた、複数のプロセッサでもよい。光データ伝送システムは、１つ又は複数の光ファイバを含み得る。一部の実施形態では、電力監視装置に動力を供給する為の電圧又は電力は、ガルバニック接触によって供給されてもよい。これは、磁気共鳴イメージングシステム等の高磁場環境においてさえ、電力の供給を可能にすることができる。
【００２９】
別の実施形態では、複数の表面コイル素子の各々は可撓性がある。この実施形態では、多素子送信コイルは、被検者の表面上に配置されてもよい。表面コイル素子の可撓性の性質は、被検者の形状に沿うように多素子送信コイルが被検者の上に配置されることを可能にすることができる。
【００３０】
別の実施形態では、複数の表面コイル素子の各々は、剛性支持構造体に固定される。剛性支持構造体は、被検者の一部を受容するように動作可能である。この実施形態では、表面コイルは、剛性支持構造体によってある特定の位置に保持することができる。この実施形態は、被検者の生体構造の特定の部分の検査に特に有用となり得る。例えば、剛性支持構造体は、被検者の頭部又は他の部分の周りにフィットするように動作可能となり得る。この実施形態は、被検者の生体構造に対してある特定の配置で表面コイル素子を置くという利点を有し得る。
【００３１】
別の実施形態では、複数の表面コイル素子の少なくとも一部が重なり合う、又は複数の表面コイル素子は重なり合わない。コイル素子が重なり合う場合、無線周波数センサを使用した無線周波数電流又は電圧の測定は、それが特定のコイル回路によってのみ生成された磁場又はＲＦ磁場の推定値を提供することから有利である。
【００３２】
別の実施形態では、電力監視装置と各無線周波数センサに接続された各アナログ−デジタル変換器とは、単一のハウジング内にある。
【００３３】
別の実施形態では、プロセッサは、無線周波数測定結果及びルックアップテーブルを使用して複数の表面コイル素子の各々に関する比吸収率推定値を決定するように動作可能である。比吸収率データは、複数の表面コイル素子の各々に関する比吸収率推定値を含む。ルックアップテーブルは、数値モデルを作成することによって決定されてもよい、又はそれは複数の表面コイル素子を使用した模型に対する測定結果を用いて作成されてもよい。この実施形態は、非常に正確ともなり得る非常に迅速に決定される比吸収率推定値を生成するという利点を有し得る。これは、被検者の過熱部分を回避する為の磁気共鳴イメージングシステムのリアルタイム制御を可能にすることができる。
【００３４】
別の実施形態では、比吸収率データは、無線周波数測定結果を含む。
【００３５】
別の実施形態では、無線周波数センサは、補償バタフライコイルである。補償バタフライコイルは、補償図８コイルと称される場合もあり、電流又は磁場測定を行う為に使用される既知の種類のコイルである。
【００３６】
別の実施形態では、無線周波数センサは、トロイダルピックアップコイルである。トロイダルピックアップコイルは、既知の種類の磁場又は電流測定コイルである、及び時にＢドットプローブとも称される。
【００３７】
別の実施形態では、無線周波数センサは、コイル回路中のコンデンサに統合される。コンデンサは、例えば、高ＱのＰＣＢ材料の層から構成されるセラミックコンデンサ又は分布コンデンサのような集中素子コンポーネントでもよい。一部の実施形態では、コンデンサの両端間の電圧は、高インピーダンス容量結合を用いて又は局部電界を検知する小型ダイポールアンテナを使用してコンデンサに対して測定される。このような電界プローブは、ＰＣＢコンデンサレイアウトに統合されてもよい、又は集中コンデンサ上に直接接着されてもよい。この実施形態は、既に存在するコイル回路のコンポーネントを無線周波数センサに組み込むという利点を有し得る。
【００３８】
別の実施形態では、プロセッサは、フィールドプログラマブルゲートアレイである。フィールドプログラマブルゲートアレイは、多素子送信コイル上に配置することができる電力監視装置を提供する、費用効率の良い及び効率的な手段を提供することができる。
【００３９】
別の実施形態では、多素子送信コイルは、磁気共鳴信号を受信するように更に動作可能である。例えば、多素子送信コイルは、同様に多素子送信及び受信コイルでもよい。
【００４０】
別の態様では、本発明は、磁気共鳴イメージングシステムコントローラを含む磁気共鳴イメージングシステムを提供する。磁気共鳴イメージングシステムコントローラは、本発明の一実施形態による多素子送信コイルの光データ伝送システムから比吸収率データを受信するように動作可能である。磁気共鳴イメージングシステムは、マルチチャネル無線周波数システムを含む。マルチチャネル無線周波数システムは、複数の表面コイル素子の各々に対して無線周波数電力を供給するように動作可能である。
【００４１】
磁気共鳴イメージングシステムコントローラは、複数の表面コイル素子から選択されたある表面コイル素子に供給される無線周波数電力を、比吸収率が表面コイル素子に関する所定の値を超えることを比吸収率データが示す場合に下げるようにマルチチャネル無線周波数システムを制御するように動作可能である。この実施形態は、被検者内で過剰な無線周波数エネルギーを生成している表面コイル素子への無線周波数電力の送出を自動的に減少させる又は停止させるという利点を有し得る。
【００４２】
別の実施形態では、磁気共鳴イメージングシステムは、多素子送信コイルを含む。
【００４３】
別の実施形態では、多素子送信コイルは、磁気共鳴イメージングシステムから取り外し可能である。
【００４４】
別の態様では、本発明は、本発明の一実施形態による多素子送信コイルの光データ伝送システムから比吸収率データを受信するように動作可能な磁気共鳴イメージングシステムコントローラによって実行される機械実行可能命令を含むコンピュータプログラムプロダクトを提供する。磁気共鳴イメージングシステムコントローラは、例えば、コンピュータでもよい又はそれが機械実行可能命令を実行することを可能にすることができるプロセッサを有していてもよい。磁気共鳴イメージングシステムは、マルチチャネル無線周波数システムを含む。マルチチャネル無線周波数システムは、複数の表面コイル素子の各々に対して無線周波数電力を供給するように動作可能である。
【００４５】
命令の実行は、磁気共鳴イメージングシステムコントローラに、光データ伝送システムから比吸収率データを受信させる。命令の実行は更に、磁気共鳴イメージングシステムコントローラに、複数の表面コイル素子から選択されたある表面コイル素子への無線周波数電力供給を、比吸収率が表面コイル素子に関する所定の値を超えることを比吸収率データが示す場合に下げるようにマルチチャネル無線周波数システムを制御させる。
【００４６】
本発明の上述の実施形態の１つ又は複数は、組み合わせられた実施形態が相互排他的でない限り、組み合わせられてもよいことが理解される。
【００４７】
以下では、本発明の好適な実施形態が、ほんの一例として及び図面を参照して説明される。
【図面の簡単な説明】
【００４８】
【図１】多素子送信コイルの一例を示す。
【図２】多素子送信コイルを使用して形成することができる制御ループの一例を示す。
【図３】磁気共鳴イメージングシステムの一例を示す。
【図４】磁気共鳴イメージングシステムコントローラによって行われる方法を示すフローチャートを示す。
【図５】多素子送信コイルに組み込まれる電力管理装置のプロセッサによって考慮され得る入力及び出力の一部を示す。
【図６】電流センサの一例を示す。
【図７】電流センサの更なる一例を示す。
【図８】電力監視装置のＲＦチェーンの図を示す。
【図９】ＲＦコイルの共振コンデンサを利用する電流センサを示す。
【図１０】表面コイル素子のアレイを示す。
【図１１】シールドされていない送信及び受信コイルのアレイを示す。
【発明を実施するための形態】
【００４９】
これらの図面において同様の番号が付された要素は、同等の要素である又は同じ機能を行う。上述された要素は、機能が同等であれば、後の図面において必ずしも扱われない。
【００５０】
各個々の送信コイル素子の監視は、ＲＦ安全動作の為に有益となり得る。例は、コイル内の局部的な個々のＲＦセンサを使用することによってＲＦ安全概念を提供する効率的な方法を提供することができる。
【００５１】
全身マルチ送信ボディコイルは、各個々の送信チャネルのＢ１振幅及び位相を局部的に監視する為に、較正された内蔵ピックアップコイル（ＰＵＣ）を有する。ボディコイルの場合、必要な配線と共に送信器とＰＵＣとの配置及び形状は、空間に固定されている、並びに、適切な動作の為にはシステムの一度の初期較正で十分である。被検者の上に配置されたコイルの場合又は可撓性コイルを使用した場合、上記の解決策は選択肢ではない。
【００５２】
ＲＦに対する患者の安全性の為に、可撓性送信コイルアレイは、ＳＡＲの完全制御を保証するＲＦ安全性概念を提供する、並びに、可撓性により浮上ピックアップコイルケーブル及びカップリング問題に左右されない、安定した及び信頼性のあるＢ１監視及び較正を提供することができる。
【００５３】
一部の例では、局部デジタル電力監視装置（ＰＭＵ）を備えた局部送信（Ｔｘ）コイルの各個々の素子、並びにＢ１パルスステータス及び負荷状態を監視するＲＦセンサ受信器は、ＲＦ安全性を確実にする個々の制御及びリアルタイム電力監視を可能にする。
【００５４】
デジタル信号は、例えば、ＦＰＧＡを使用して処理されてもよい。局部ＰＭＵの使用は、接続の量、よって結果コストを減少させる。
【００５５】
マルチ送信アレイでは、各個々のコイル素子は、アレイの安全動作の為に監視され得る。従って、各コイル素子は、追加の局部センサ及び対応する配線を必要とし、これは、全体的なコイル設計の複雑さ及びコストを増加させる。
【００５６】
一部の例では、センサからのＲＦ信号は、局部的に増幅及びデジタル化されてもよい。これは、コイルのＳＡＲ及びＲＦ電流又は電圧を局部的に計算する為に行われ得る。このようなシステムは、例えば、コンデンサ、ＰＣＢ又は給電線の故障、過剰なＲＦ電力（ＲＦ電力増幅器、ＳＷパルス計算等）の様な重度の不具合の場合でさえ、患者に独立した安全性を提供することができる。
【００５７】
一部の例は、ＲＦ電流又は電圧センサを用いた各コイル素子の個々のＢ１信号の監視、ＡＤＣによる直接（コイル上）サンプリング、及びＦＰＧＡによる処理によって安全性問題を解決することができる。可撓性送信コイルアレイの個々のコイル素子は、安全性演算（局部ＰＭＵ）の為にＦＰＧＡプロセッサに保存されたそれら固有の個々のＳＡＲモデルを有する。
【００５８】
可撓性多素子送信コイルアレイの場合、個々のコイル素子の監視は有益となり得る。可撓性送信アレイに関して、本発明者らは、リアルタイムで各コイル素子の個々のＳＡＲを局部的に計算することを提案する。個々の局部ＰＭＵユニット及び局部ＲＦ電流又は電圧センサを用いて、局部信号が直接サンプリングされ、ＳＡＲが計算される又はルックアップテーブルから読み出されてもよい。各個々のＴｘ素子のステータスは、リアルタイムで個々にモニタリングされる。
【００５９】
局部デジタルＰＭＵユニットは、各コイル素子の安全性ステータスに関して、局部的に制御、較正及び決定を行うことができる。局部ＰＭＵは、スキャニングプロセスのインターロックとして機能する。コイルの状態が所望の安全性ステータスから逸脱している限り、スキャニングが禁止される。
【００６０】
提案されたシステムは、コイルの負荷も測定する。この測定は、各個々のコイル素子のメモリ及び／又はＦＰＧＡプロセッサにロードされたＳＡＲモデル（実験データ）を入力する。
【００６１】
個々のコイル素子は、異なるＳＡＲモデルを有し得る（アレイの中心の素子は、コイルの端部に位置付けられた素子と比較して、被検者による異なる負荷及び放射線の影響を経験し得る）。反射電力は、コイルアレイ上の局部負荷に即座に吸収される（例えば、ガイセル結合器を利用して）。ＲＦ増幅器の欠陥（例えば、発振）、ソフトウェアのエラー、ケーブルの断線の場合、局部ＰＭＵは、即座にエラーを検出し、ＲＦ電力を下げる、又はスキャンを中断する。ＥＭソフトウェア、Ｂ１マッピングアルゴリズム、及び較正局部ＲＦ電流検出による測定結果を用いて、ＲＦ磁場Ｂ１［μＴ／（Ｗ）０．５］が計算される。
【００６２】
図１は、多素子送信コイル１００の一例を示す。多素子送信コイル１００は、複数の表面コイル素子１０２を含む。各表面コイル素子１０２は、電圧センサとして機能する容量性分圧器１０６を有する。電圧センサ１０６の代わりに電流センサが使用されてもよい。局部電力管理装置１０８は、容量性分圧器の両端の電圧を測定する及びプロセッサを使用して比吸収率データを計算する為にこれを使用する。局部ＰＭＵ１０８は、光データ伝送システム１１０を介して局部ＰＭＵコントローラインタフェース１１２に接続される。局部ＰＭＵコントローラインタフェース１１２は、単純に、別の光学的接続１２０を介して磁気共鳴イメージングシステムコントローラへとデータを転送してもよい、又は局部ＰＭＵ１０８からのデータを使用して幾つかの計算又はモデリングを行ってもよい。各コイル回路１０４は、伝送線１１６に接続された送信器受信スイッチ１１４を有する。伝送スイッチ１１４の伝送部分は、伝送結合器１１８に接続されてもよい。
【００６３】
図１では、個々のコイルの近接性により、局部ピックアップ監視及び較正は、浮動カップリング効果、ピックアップループ信号線のケーブル電流により、達成することが困難である。各個々の送信コイル素子は、局部ＰＭＵプロセッサユニットによって監視され、局部ＰＭＵプロセッサユニットは、ＡＤＣサンプリング及び直接処理によって、複合Ｂ１送信パルス信号を個々に測定する。デジタル信号は、局部ＦＰＧＡシステムによって更に処理される。内蔵電力結合器は、ＲＦ電力を幾つかの個々のコイルへと分配する。
【００６４】
分圧器１０６及び／又は局部ＰＭＵ１０８は、隣接する表面コイル素子からカップリングを減少させる為に追加のＲＦシールドを有していてもよい。例えば、シールドは、銅箔から構成されてもよい及びセンサの周りに巻き付けられてもよい又はＲＦシールド若しくは導電性ハウジングでもよい。
【００６５】
図２は、多素子送信コイルを使用して形成することができる制御ループの一例を示す。図２では、送信コイル素子２００が示されている。無線周波数増幅器２０２によって無線周波数電力が送信コイル素子２００に供給される。無線周波数増幅器２０２を制御する制御システム２０４が存在する。使用中に送信コイル素子２００に対して直接無線周波数測定を行うＰＭＵユニットは図示されていない。制御システム２０４に比吸収率データを提供する電力管理装置光出力２０６又は光データ伝送システムが存在する。送信コイル素子によって生成された推定比吸収率データが高過ぎる場合には、制御システム２０４は、無線周波数増幅器２０２によって送信コイル素子２００へと供給される電力を下げる又は遮断することができる。
【００６６】
図２に示された制御ループは、隣接する表面コイル素子からカップリングを減少させる為にＲＦ遮蔽を組み込んでもよい。例えば、シールドは、銅箔から構成されてもよい並びにセンサ及び／又は無線周波数測定結果の提供に使用される任意の電子機器の周りに巻き付けられてもよい。
【００６７】
図３は、磁気共鳴イメージングシステム３００の一例を示す。磁気共鳴イメージングシステム３００は、磁石３０４を含む。磁石３０４は、円筒型超伝導磁石である。磁石は、超伝導コイルを備えた液体ヘリウム冷却クライオスタットを有する。永久又は抵抗磁石を使用することも可能である。異なる種類の磁石の使用も可能であり、例えば、分割円筒磁石及び所謂開放磁石の両方を使用することも可能である。分割円筒磁石は、磁石が例えば荷電粒子ビーム療法と共に使用され得るように、クライオスタットが２つの部分に分割されて、磁石の等平面へのアクセスを可能にする点を除いて、標準的な円筒磁石に類似する。開放磁石は、２つの磁石部分を有し、被検者を受容するのに十分な大きさの空間を間に有して一方が他方の上にあり、２つの部分の領域の配置は、ヘルムホルツコイルのものと類似する。被検者が閉じ込められる度合いが低いことから、開放磁石が人気である。円筒磁石のクライオスタットの内部には、一群の超伝導コイルが存在する。円筒磁石のボア内部には、磁気共鳴イメージングを行うのに十分な程、磁場が強い及び均一であるイメージングゾーンが存在する。
【００６８】
磁石３０４のボア３０６内部には、磁場勾配コイル電源３１０によって電流が供給される磁場勾配コイル３０８が存在する。磁場勾配コイル３０８は、磁気共鳴データの取得中に磁石のイメージングゾーン内で磁気スピンを空間的に符号化する為に使用される。磁場勾配コイル３０８は、代表的であることが意図されたものである。一般的に、磁場勾配コイルは、３つの直交する空間方向に空間的に符号化を行う為の３つの別々のコイル組を含む。磁場勾配コイル３０８に供給される電流は、時間の関数として制御される及び傾斜がつけられてもよい又はパルス出力されてもよい。
【００６９】
磁石のボア３０６の内部は、磁気共鳴イメージングを行う為に磁場が十分に均一なイメージングゾーン３１６である。また、磁石のボア３０６の内部には、被検者３１８が被検者支持体３２０上に横になっており、彼の表面上に置かれた３つの表面コイル素子３１１を有する。被検者３１８の一部及び３つの表面コイル素子３１１は、イメージングゾーン３１６内にある。
【００７０】
表面コイル素子３１１の各々は、送信器３１２に接続される。表面コイル素子３１１の各々における電力監視装置へと電力を供給するガルバニック接続が存在してもよい。また、電力監視装置と送信器３１２との間に光ファイバ接続が存在してもよい。磁石のボア３０６に取り付けられた追加の受信コイル３１３が存在する。受信コイル３１３は、受信器３１４に接続される。一部の実施形態では、送信器３１２及び受信器３１４は、単一ユニットに統合される。また一部の実施形態において、表面コイル素子３１１は、磁気共鳴信号も受信するように動作可能であってもよい。表面コイル素子３１１に内蔵された電力監視装置は、比吸収率データ３４８を送信器３１２へと送る。場合によっては、図２に図示されるようなフィードバックループにおいて比吸収率データ３４８を使用する送信器３１２内のコントローラが存在してもよい。磁場勾配コイル電源３１０、送信器３１２及び受信器３１４は、コンピュータシステム３３０のハードウェアインタフェース３３２に接続されて示されている。
【００７１】
コンピュータシステムは、機械実行可能命令を実行する為のプロセッサ３３４を更に含む。プロセッサは、ハードウェアインタフェース３３２及びユーザインタフェース３３６に接続されて示されている。ハードウェアインタフェース３３２は、磁気共鳴イメージングシステム３００の機能性をプロセッサ３３４が制御することを可能にする。プロセッサ３３４はまた、コンピュータストレージ３３８及びコンピュータメモリ３４０に接続されて示されている。
【００７２】
コンピュータストレージ３３８は、パルスシーケンス３４２を含んで示されている。パルスシーケンス３４２は、磁気共鳴データ３４４を取得する為に磁気共鳴イメージングシステム３００の動作をプロセッサ３３４が制御することを可能にするコマンドへと変換することができる１組のコマンド又は１組の命令のどちらかである。コンピュータストレージ３３８は、磁気共鳴データ３４４を含んで示されている。コンピュータストレージ３３８はまた、磁気共鳴データ３４４から復元された磁気共鳴画像３４６を含んで示されている。コンピュータストレージ３３８は、更に比吸収率データ３４８を含んで示されている。比吸収率データ３４８は、例えば、送信器３１２からコンピュータシステム３３０へと伝達されてもよい。
【００７３】
コンピュータメモリ３４０は、制御モジュール３５０を含んで示されている。制御モジュール３５０は、磁気共鳴イメージングシステム３００の動作及び機能をプロセッサ３３４が制御することを可能にするコンピュータ実行可能コードを含む。例えば、制御モジュール３５０は、磁気共鳴データ３４４を取得する為にパルスシーケンス３４２を使用してもよい。コンピュータメモリ３４０は、更に画像復元モジュール３５２を含んで示されている。画像復元モジュール３５２は、磁気共鳴データ３４４を使用してプロセッサ３３４が磁気共鳴画像３４６を復元することを可能にする。コンピュータメモリ３４０は、更に比吸収率監視モジュール３５４を含んで示されている。比吸収率監視モジュール３５４は、一部の実施形態では、比吸収率データ３４８を分析する、及びその後に送信器３１２を制御する為のコマンドを送ってもよい。例えば、表面コイル素子３１１の１つが過剰なＳＡＲを生成している場合、プロセッサ３３４は、送信器３１２にその特定の表面コイル素子３１１への電力を遮断させる又はそれに送られている電力を下げさせるコマンドを送ることができる。
【００７４】
図４は、磁気共鳴イメージングシステムコントローラによって行われる方法を図示するフローチャートを示す。まず、ステップ４００において、比吸収率データが電力監視装置の光データ伝送システムから受信される。電力監視装置は、表面コイル素子に接続される及びコイル回路に対する何等かの無線周波数測定を行う。次にステップ４０２において、マルチチャネル無線周波数システムは、ある特定の表面コイル素子が所定値を超える比吸収率を有する場合に電力を下げるように制御される。
【００７５】
図５は、多素子送信コイルに組み込まれる電力管理装置のプロセッサによって考慮され得る入力及び出力の一部を示す。ブロック５００は、ＰＭＵユニットの局部プロセッサへの入力を表す。
【００７６】
ブロック５００が取り得るある入力は、複素直流５０２でもよく、これは、その後、大域的ＳＡＲ５０４の観点からモデリングされ、これは、その後、プロセッサに入力される（５００）。テーブル又は患者モデル５０６もまた入力として使用されてもよい。また、入力として使用される電磁ＳＡＲ計算５０８が存在してもよい。また、プロセッサに入力値として入力される（５００）入力オフセット補正５１０が存在してもよい。入力オフセット補正は、例えば、安全性レベルを定義する為に使用されてもよい。５１２では、出力として、ＲＦパルスが安全か否かの決定が下される。答えがＮＯの場合、警告メッセージが磁気共鳴コンソール５１４に送られる又はシステムが問題を引き起こしているコイルへの電力を下げるように無線周波数システムを直接制御する。無線周波数パルスが安全である場合、この方法は、磁気共鳴イメージング測定５１６の実施に進む。
【００７７】
図６は、電流センサの一例を示す。中に切り取られた窓６０２を備えた銅ストリップ６００が存在する。窓６０２の内部には、バタフライコイル６０４がある。矢印６０６は、ある特定の瞬間における電流の方向を示す。電流が変動する際に、バタフライコイル６０４において誘導された電圧電位が存在することになる。これらは、出力６０８にデジタル−アナログ変換器を置くことによって測定することができる。バタフライコイル６０４は、時に、図８コイルと称されることもある。
【００７８】
図７は、電流センサの別の一例を示す。側面図７００及び斜視図７０２がある。コイル回路における導体として機能する銅ストリップ６００が存在する、及び矢印６０６は、この場合もやはり、ある特定の瞬間における電流の方向を示す。２つの銅ストリップ６００間には、電流６０６の変化を測定する為に使用されるトロイダルコイル７０４がある。トロイダルコイル７０４は、時に、Ｂドットプローブと称される場合もある。
【００７９】
図７に示された電流センサは、隣接する表面コイル素子からカップリングを減少させる為に追加のＲＦシールドを有していてもよい。例えば、シールドは、銅箔から構成されてもよい及びセンサの周りに巻き付けられてもよい。これは、センサ一般に当てはまる及び図７に示されるトロイダルコイル７０４又は同様に平面センサをシールドする為に使用され得る。
【００８０】
図８は、電力監視装置のＲＦチェーン８００の図を示す。図８０２は、内部に統合されたＲＦチェーンを備えた電力監視装置の図８０２を示す。ＲＦチェーン８００は、増幅器８０６に入る出力を有する電流センサ８０４を示す。増幅器８０６は、次に、アナログ−デジタル変換器（ＡＤＣ）８０８を備えたフィールドプログラマブルゲートアレイ（ＦＰＧＡ）８１０に入力される。ＲＦ信号は、ＡＤＣ８０８によってデジタル化される。デジタル領域では、信号は、Ｉ及びＱチャネル、即ちデジタル受信器の機能を得る為に混合される。位相及び振幅がＳＡＲを計算する為に使用されるので、これは重要である。コンポーネント８１０は、デジタル受信器及びＦＰＧＡ８１０であると見なされ得る。ＦＰＧＡ８１０においてバツ印を有した２つの円は、デジタルＩＱ受信器を表し得る。
【００８１】
ＦＰＧＡ８１０は、光変換器も組み込む。次に、チェーンの出力は、光ファイバ８１２である。図８０２では、２つの銅ストリップ６００に接続された電力監視装置８１４が存在する。この図では、その内部に組み込まれたデジタルチェーンを有する、例えばデバイス又は集中コンポーネントといった高度集積センサが示されている。このセンサは、コイル導体と直列に接続される及び光出力８１２を有する。
【００８２】
図８に示された電流センサは、隣接する表面コイル素子からカップリングを減少させる為に追加のＲＦシールドを有していてもよい。例えば、シールドは、銅箔から構成されてもよい及びセンサ又はＲＦチェーン８００の周りに巻き付けられてもよい。一部の例では、電力監視装置８１４のハウジングは、ＲＦシールドとして機能し得る。
【００８３】
図９は、ＲＦコイルの共振コンデンサ９００を利用する電流センサを示す。一部の実施形態では、ここでは２つのマッチングコンデンサとして示されるようなマッチングネットワークが検知線に必要とされ得る。バラン９０２もまた、線中のコモンモード電流を減少させる為に必要とされ得る。信号は次に、図９に記載されるように、ＲＦセンサ９０４へと送り込まれる。
【００８４】
図１０は、表面コイル素子１０００のアレイを示す。コイル１０００の各々には電流センサ１００２が組み込まれている。コイル１０００のアレイは、共通の無線周波数シールド１００４を有する。
【００８５】
図１１は、シールドされていない送信及び受信コイル１１００のアレイを示す。各素子は、ＰＵ回路を持っているが、信号検出及び変換は、全コイル素子用の１つのハウジング１１０４内で共有される。コイルの各々に対してセンサ１１０２が存在する。センサ１１０２は全て、単一のハウジング内にあるデジタル受信器１１０４に接続される。単一のデジタル出力１１０６は、磁気共鳴イメージングコントローラと接続する為に使用される。
【００８６】
図面及び上記の説明において本発明を詳細に図示及び説明したが、そのような図示及び説明は、限定的なものではなく、説明の為のもの又は例示的なものであると見なされるべきものであり、本発明は、開示された実施形態に限定されない。
【００８７】
開示された実施形態に対する他の変形形態は、図面、開示内容、及び添付の特許請求の範囲の研究から、請求項に係る発明の実施において、当業者によって理解され得る及びもたらされ得る。クレームにおいて、「含む」（“comprising”）という用語は、他の要素又はステップを排除しない、及び不定冠詞「a」又は「an」は、複数を排除しない。単一のプロセッサ又は他のユニットが、クレームに記載された幾つかの項目の機能を果たしてもよい。特定の手段が互いに異なる従属クレームに記載されているという事実だけでは、これらの手段の組み合わせを有利に使用できないことを意味しない。コンピュータプログラムは、他のハードウェアと共に又はその一部として提供される光ストレージ媒体又は半導体媒体等の適切な媒体に保存／配布されてもよいが、インターネット又は他の有線若しくは無線通信システムを介して等、他の形態で配布されてもよい。クレームにおける何れの参照符号も範囲を限定するものと解釈されるものではない。
【符号の説明】
【００８８】
１００  多素子送信コイル
１０２  表面コイル素子
１０４  コイル回路
１０６  電圧センサ
１０８  電力監視装置
１１０  光データ伝送システム
１１２  局部電力管理装置制御インタフェース
１１４  送信受信スイッチ
１１６  伝送線
１１８  送信結合器
１２０  磁気共鳴イメージングシステムコントローラへの接続
２００  送信コイル素子
２０２  無線周波数増幅器
２０４  制御システム
２０６  電力管理装置光出力
３００  磁気共鳴イメージングシステム
３０４  磁石
３０６  磁石のボア
３０８  磁場勾配コイル
３１０  磁場勾配コイル電源
３１１  表面コイル素子
３１２  送信器
３１３  受信コイル
３１４  受信器
３１６  イメージングゾーン
３１８  被検者
３２０  被検者支持体
３３０  コンピュータ
３３２  ハードウェアインタフェース
３３４  プロセッサ
３３６  ユーザインタフェース
３３８  コンピュータストレージ
３４０  コンピュータメモリ
３４２  パルスシーケンス
３４４  磁気共鳴データ
３４６  磁気共鳴画像
３４８  比吸収率データ
３５０  制御モジュール
３５２  画像復元モジュール
３５４  比吸収率監視モジュール
６００  銅ストリップ
６０２  窓
６０４  バタフライコイル
６０６  電流フローの方向
６０８  出力
７００  側面図
７０２  斜視図
７０４  トロイダルコイル
８００  電力監視装置のＲＦチェーン
８０２  電力監視装置の図
８０４  電流センサ
８０６  増幅器
８０８  アナログ−デジタル変換器
８１０  光変換器
８１２  光ファイバ
８１４  電力監視装置
９００  コンデンサ
９０２  バラン
９０４  デジタルＲＦセンサへの出力
１０００  コイル
１００２  センサ
１００４  無線周波数シールド
１１００  コイル
１１０２  センサ
１１０４  デジタル受信器
１１０６  光出力
【図１】
0006351640.tif 000002
【図２】
0006351640.tif 000003
【図３】
0006351640.tif 000004
【図４】
0006351640.tif 000005
【図５】
0006351640.tif 000006
【図６】
0006351640.tif 000007
【図７】
0006351640.tif 000008
【図８】
0006351640.tif 000009
【図９】
0006351640.tif 000010
【図１０】
0006351640.tif 000011
【図１１】
0006351640.tif 000012